(57)【要約】    【課題】  天気予報から判定した天気の予想と実際の天気が一致しなかった場合に、携帯端末に天気の予想が外れたことを通知することを可能とする天気情報通知システムを提供する。    【解決手段】  管理サーバ３がネットワーク１００を介して少なくとも１つの基地局１ａ、１ｂから基地局１ａ、１ｂの設置された地域の気象情報を取得し、無線通信を介して携帯端末２へ通知する天気情報通知システムであって、  外部から取得した所定の対象地域の天気予報情報から、利用者の通知条件に基づいて判定した天気の予想と、基地局１ａから取得した対象地域の気象情報で示される実際の天気内容を比較し、天気の予想と実際の天気内容が不一致の場合に、その旨を通知する【選択図】      図１
2006108871.tif 000002
【特許請求の範囲】
【請求項１】
サーバがネットワークを介して少なくとも１つの基地局から前記基地局の設置された地域の気象情報を取得し、無線通信を介して携帯端末へ通知する天気情報通知システムであって、
外部から取得した所定の対象地域の天気予報情報から、利用者の通知条件に基づいて判定した天気の予想と、前記基地局から取得した前記対象地域の気象情報で示される実際の天気内容を比較し、前記天気の予想と前記実際の天気内容が不一致の場合に、その旨を通知することを特徴とする天気情報通知システム。
【請求項２】
前記通知条件として、利用者が雨と予想するための降水確率を含むことを特徴とする請求項１に記載の天気情報通知システム。
【請求項３】
前記対象地域及び前記通知条件の情報を格納するためのユーザ情報データベースを備えることを特徴とする請求項２に記載の天気情報通知システム。
【請求項４】
前記対象地域及び前記通知条件の情報を前記携帯端末から前記サーバへ送信すると、前記サーバにより前記対象地域及び前記通知条件を登録し、前記対象地域及び前記通知条件の情報を前記ユーザ情報データベースに格納することを特徴とする請求項３に記載の天気情報通知システム。
【請求項５】
前記携帯端末から前記サーバへ前記対象地域の天気予報情報を要求すると、前記サーバに備えられた天気予報データベースから当該天気予報情報を取得し、当該天気予報情報を前記携帯端末へ送信することを特徴とする請求項４に記載の天気情報通知システム。
【請求項６】
前記サーバから前記対象地域の基地局に備えられた気象観測装置へ前記対象地域の気象情報を要求すると、前記気象観測装置から前記サーバへ、前記気象情報を送信することを特徴とする請求項５に記載の天気情報通知システム。
【請求項７】
前記通知条件として、利用者が風が吹くと予想するための風速を含むことを特徴とする請求項１から請求項６のいずれか１項に記載の天気情報通知システム。
【請求項８】
前記通知条件として、利用者が低温と予想するための最低気温を含むことを特徴とする請求項１から請求項７のいずれか１項に記載の天気情報通知システム。
【請求項９】
ネットワークを介して少なくとも１つの基地局から前記基地局の設置された地域の気象情報を取得し、無線通信を介して携帯端末へ通知するサーバであって、
外部から取得した所定の対象地域の天気予報情報から、利用者の通知条件に基づいて判定した天気の予想と、前記基地局から取得した前記対象地域の気象情報で示される実際の天気内容を比較し、
前記天気の予想と前記実際の天気内容が不一致の場合に、その旨を通知することを特徴とするサーバ。
【請求項１０】
前記通知条件として、利用者が雨と予想するための降水確率を含むことを特徴とする請求項９に記載のサーバ。
【請求項１１】
前記天気の予想と、前記気象情報とを比較し、前記通知条件を満たすかどうかを判定する比較部を備えることを特徴とする請求項１０に記載のサーバ。
【請求項１２】
前記対象地域及び前記通知条件の情報を格納するためのユーザ情報データベースを備えることを特徴とする請求項１１に記載のサーバ。
【請求項１３】
前記対象地域の基地局に備えられた気象観測装置へ前記対象地域の気象情報を要求し、前記対象地域の気象情報を取得する気象情報取得部と、前記サーバに備えられた天気予報データベースから前記対象地域の天気予報情報を取得する天気予報情報取得部を備えることを特徴とする請求項１２に記載のサーバ。
【請求項１４】
前記携帯端末から前記対象地域の天気予報情報の要求を受信すると、前記天気予報情報取得部により前記天気予報データベースから当該天気予報情報を取得し、当該天気予報情報を前記携帯端末へ送信することを特徴とする請求項１３に記載のサーバ。
【請求項１５】
前記気象情報取得部から前記気象観測装置へ前記対象地域の気象情報を要求し、前記気象観測装置から送信された前記気象情報を前記気象情報取得部で取得することを特徴とする請求項１４に記載のサーバ。
【請求項１６】
ネットワークを介して少なくとも１つの基地局から前記基地局の設置された地域の気象情報を取得し、無線通信を介して携帯端末へ通知するサーバ上で実行される天気情報通知プログラムであって、
外部から取得した所定の対象地域の天気予報情報から、利用者の通知条件に基づいて判定した天気の予想と、前記基地局から取得した前記対象地域の気象情報で示される実際の天気内容を比較する機能と、
前記天気の予想と前記実際の天気内容が不一致の場合に、その旨を通知する機能を実行することを特徴とする天気情報通知システム。。
【請求項１７】
前記通知条件として、利用者が雨と予想するための降水確率を含む機能を有することを特徴とする請求項１６に記載の天気情報通知プログラム。
【請求項１８】
前記携帯端末から前記対象地域の天気予報情報の要求を受信すると、前記サーバに備えられた天気予報データベースから当該天気予報情報を取得し、当該天気予報情報を前記携帯端末へ送信する機能を有することを特徴とする請求項１７に記載の天気情報通知プログラム。
【請求項１９】
前記対象地域の基地局に備えられた気象観測装置へ前記対象地域の気象情報を要求し、前記気象観測装置から前記気象情報を取得する機能を有することを特徴とする請求項１８に記載の天気情報通知プログラム。
【請求項２０】
前記通知条件として、利用者が風が吹くと予想するための風速を含むことを特徴とする請求項１６から請求項１９のいずれか１項に記載のに記載の天気情報通知プログラム。
【請求項２１】
前記通知条件として、利用者が低温と予想するための最低気温を含むことを特徴とする請求項１６から請求項２０のいずれか１項に記載の天気情報通知プログラム。
【発明の詳細な説明】
【技術分野】
【０００１】
本発明は、天気情報通知システムに関し、特に、天気予報から判定した天気の予想と実際の天気が一致しなかった場合に、携帯端末に天気の予想が外れたことを通知する天気情報通知システム、管理サーバ及び天気情報通知プログラムに関する。
【背景技術】
【０００２】
移動先の天気が事前に調べた移動先の天気予報と異なっていたために、移動先で困惑することは、誰しも経験するところである。このようになる原因は、比較的精度の高い天気予報でも１００％当たることはないため、天気予報を知っていても、予想外の天気となる可能性があるためである。このような理由から、離れた場所の天気を正確に知るには、絶えずその場所の天気を調べるか、こまめに更新される天気予報を絶えず確認する必要があり、煩わしいと共に通信手段で調べる場合には、通信費用が嵩むという問題があった。
【０００３】
このような問題の解決に類する方法の一例が、例えば特開２００１−１６０１９３号公報（特許文献１）及び例えば特開２００１−３５９１６１号公報（特許文献２）に記載されている。
【０００４】
特許文献１に開示される方法では、登山者により登録されたコース、スケジュール等の情報に基づき、登山者の行動に危険を及ぼすような事象、例えば局地的な雨、落雷等が確認されると、登山者の行動を管理するシステムから登山者の携帯端末へこれらの情報を提供する。
【０００５】
また、特許文献１の方法では、ＧＰＳ（Global Positioning System）信号で登山者の位置情報を監視し、コースから外れたことや、危険地域に入ったことを登山者に通知する。
【０００６】
このようにすることにより、登山者の身の危険を回避することができると共に登山者のコースからの逸脱や危険地域に入ったことを登山者に通知することができるというものである。
【０００７】
また、特許文献２の方法では、移動通信網の基地局に設けられた気象観測手段によって、基地局の地点での気象状況を観測し、観測データを取得する。観測データに基づき、気象情報を作成し、基地局からそのサービスエリアに在圏する移動局に気象情報を送信する。移動端末ユーザは、移動局にアクセスすることにより、自分のいる地点の最新の気象情報を入手することができるというものである。
【特許文献１】特開２００１−１６０１９３号公報
【特許文献２】特開２００１−３５９１６１号公報
【発明の開示】
【発明が解決しようとする課題】
【０００８】
上述した従来の技術は、いずれも以下に述べるような問題点があった。
【０００９】
特許文献１の方法は、登山者により登録されたコース、スケジュール等の情報に基づき、登山者の行動に危険を及ぼすような情報が地域情報から取得されると、登山者の行動を管理するシステムから登山者の携帯端末へこれらの情報を提供し、登山者に身の危険を回避させると共に登山者のコースからの逸脱や危険地域に入ったことを登山者に通知するというものである。
【００１０】
特許文献１の方法によれば、予め、登山者の行動予定を登録しておくことにより、登山者の遭難災害を防止することができる。
【００１１】
しかしながら、特許文献１の方法は、局所的な地域での異常時（災害発生時）の使用を目的としたものであり、通常時の使用を目的としたものではない。
【００１２】
また、特許文献１の方法では、気象情報を地域情報から取得しており、実際の気象情報を取得しているものの、天気予報と実際の天気との比較は行っていない。その理由は、この方法では、登山者は、その行動を管理するシステムからの情報を取得していれば良く、特に天気予報を知る必要がないために、天気予報と実際の天気との比較をする必要がないためである。すなわち、特許文献１の方法では、天気予報と実際の天気とに不一致が発生しても、しなくても問題とはならない。したがって、ここで問題とする天気予報と実際の天気とに不一致が発生したことに起因する問題を解決するものではない。
【００１３】
また、特許文献２の方法では、基地局に設けられた気象観測手段によって取得した観測データに基づき、気象情報を作成し、基地局から移動局に気象情報を送信する。移動端末のユーザは、移動局にアクセスすることにより、自分のいる地点の最新の気象情報を入手することができるというものである。
【００１４】
特許文献２の方法では、自分のいる地点の最新の気象情報を入手することはできる。しかしながら、移動先の天気を知りたい場合には、絶えずその場所の移動局にアクセスする必要があり、煩わしさあるいは通信費が嵩むという問題を解決するものではなかった。
【００１５】
また、特許文献２の方法の場合、天気予報が当たり、特に天気を調べる必要のない場合においても、移動局にアクセスする必要があり、手間を要するという問題もあった。
【００１６】
本発明の目的は、上記従来技術の欠点を解決し、天気予報から判定した天気の予想と実際の天気が一致しなかった場合に、携帯端末に通知する天気情報通知システム、管理サーバ及び天気情報通知プログラムを提供することにある。
【課題を解決するための手段】
【００１７】
上記目的を達成するための本発明は、サーバがネットワークを介して少なくとも１つの基地局から前記基地局の設置された地域の気象情報を取得し、無線通信を介して携帯端末へ通知する天気情報通知システムであって、前記サーバは、前記携帯端末の利用者により指定された対象地域の気象情報を前記基地局から取得すると共に、前記携帯端末へ天気予報情報を提供し、利用者から指定された通知条件を満たす場合に、前記利用者の携帯端末に天気に関する情報を通知することを特徴とする。
【００１８】
本発明は、天気予報から判定した天気の予想と実際の天気に不一致が発生した場合に、携帯端末の利用者に予想が外れたことを通知するものである。
【００１９】
最初に、利用者は携帯端末から天気に関する情報の通知を希望する対象地域と通知条件をサーバに登録する。
【００２０】
次に、サーバは、対象地域の天気予報情報と気象情報の取得を行う。天気予報情報は、サーバの備える天気予報データベースより取得する。また、気象情報は、対象地域の基地局に備えられた気象観測装置に要求を行うことにより、取得する。
【００２１】
次に、通知条件を適用して、天気予報情報の判定がサーバにより行われる。
【００２２】
例えば、天気予報情報が降水確率４０％だけでは、雨が降る場合、また降らない場合がある。このため、天気を判定するための情報として、天気予報の降水確率５０％以上では雨が降ると判定し、天気予報の降水確率５０％未満では雨が降らないと判定するという判定条件を適用すると、天気予報情報が降水確率４０％では雨が降らないという予想となる。
【００２３】
このように、天気予報情報に判定を行って天気を予想し、天気の予想と実際の天気とを比較し、両者に不一致が生じた場合に、利用者に予想が外れたことを通知するのが本発明の方法である。
【発明の効果】
【００２４】
本発明の天気情報通知システム、管理サーバ及び天気情報通知プログラムによれば、以下の効果が達成される。
【００２５】
天気予報から判定した天気の予想と実際の天気が一致しなかった場合に、携帯端末に予想が外れたことを通知することが可能となる。
【００２６】
その理由は、管理サーバで携帯端末の利用者が登録した通知条件に基づき、天気予報から判定した天気の予想と実際の天気とを比較し、両者が一致しなかった場合、管理サーバから携帯端末へ予想が外れたことを通知するためである。
【実施例】
【００２７】
以下、本発明の好適な実施例について図面を参照して詳細に説明する。
【００２８】
図１は、本実施例による天気情報通知システムの構成を示すブロック図である。
【００２９】
図１を参照すると、本実施例による天気情報通知システムは、基地局１ａ、基地局１ｂがネットワーク１００を介して管理サーバ３に接続されており、携帯端末２は無線通信を介して管理サーバ３に接続される構成となっている。
【００３０】
携帯端末２は、移動体通信機器であって、携帯電話、ＰＨＳ等のいずれであっても良い。
【００３１】
基地局１ａと基地局１ｂは、互いに異なる地域に設置されている。基地局１ａは、複数ある基地局の中の１つであり、利用者（ユーザ）が天気に関する情報の通知を希望する地域（以下では対象地域と略す）に設置されているものとする。また、基地局１ｂは対象地域外に設置されているとする。
【００３２】
なお、対象地域はユーザが登録時に指定する。
【００３３】
基地局１ａは、気象観測装置１１ａを備える。気象観測装置１１ａは、基地局１ａの設置された地域の気象状態、例えば雨の降り始め、雨の降り終わり、降水量の変化、温度、風速等を観測し、気象情報を作成することができる。なお、基地局１ｂも、基地局１ａと同様の設備を有する。
【００３４】
携帯端末２のユーザは、管理サーバ３から対象地域の天気予報情報を入手する。
【００３５】
時間が経過し、管理サーバ３は対象地域の気象情報を気象観測装置１１ａから入手し、対象地域の天気予報から判定した天気の予想と気象情報から判定した実際の天気（天気内容）とが一致しなかった場合には、管理サーバ３からユーザの携帯端末２へ、天気の予想が外れたことを通知する。
【００３６】
なお、時間が経過しても、対象地域の天気の予想と実際の天気とが一致している場合には通知はされない。
【００３７】
次に、本実施例の天気情報通知システムを詳細に説明する。
【００３８】
図２は、本実施例による天気情報通知システムの構成を詳細に示すブロック図である。
【００３９】
図２を参照すると、本実施例による天気情報通知システムは、基地局１ａ、基地局１ｂがネットワーク１００を介して管理サーバ３に接続されており、携帯端末２は無線通信を介して管理サーバ３に接続される構成となっている。
【００４０】
携帯端末２のユーザは、管理サーバ３から対象地域の天気予報情報を入手することができる。携帯端末２は、携帯電話、ＰＨＳ等の移動体通信機器のいずれであっても良い。
【００４１】
基地局１ａと基地局１ｂは、互いに異なる地域に設置されている。基地局１ａは、複数ある基地局の中の１つであり、対象地域に設置されている。
【００４２】
基地局１ａは、気象観測装置１１ａを備える。気象観測装置１１ａは、基地局１ａの設置された地域の気象状態、例えば雨の降り始め、雨の降り終わり、降水量の変化、温度、風速等を観測し、気象情報を作成することができる。なお、基地局１ｂも、気象観測装置１１ｂを備え、基地局１ａと同様の設備と機能を有する。
【００４３】
気象観測装置１１ａ、１１ｂは、地域の気象情報の要求が管理サーバ３よりなされると、管理サーバ３に対して気象情報を提供することができる。
【００４４】
本実施例による管理サーバ３は、天気予報データベース４とユーザ情報データベース５に接続されている。
【００４５】
管理サーバ３は、気象情報取得部３１と、天気予報情報取得部３２と、比較部３３と、送受信部３４を備えた構成となっている。
【００４６】
気象情報取得部３１は、比較部３３から地域の気象情報の要求を受けると、気象観測装置１１に地域の気象情報の要求を送信し、気象観測装置１１から当該地域の気象情報を取得し、比較部３３に提供することができる。
【００４７】
天気予報情報取得部３２は、天気予報データベース４から、地域の天気予報情報を取得し、比較部３３に提供することができる。また、気象情報を提供するＷｅｂサイト、例えば気象庁、ヤフー等から最新の気象情報を取得して、天気予報データベース４に格納する。
【００４８】
比較部３３は、気象情報取得部３１経由で、気象観測装置１１から提供を受けた気象情報と、天気予報情報取得部３２経由で天気予報データベース４から読み出した天気予報情報とを比較し、ユーザにより指定された通知条件に該当するかどうかを判定することができる。
【００４９】
送受信部３４は、携帯端末２から地域の天気予報情報の要求を受けると、比較部３３経由で天気予報情報取得部３２に天気予報情報の要求を行う。天気予報情報取得部３２は、送受信部３４から地域の天気予報情報の要求を受けると、天気予報データベース４から当該地域の天気予報情報を取得する。取得された天気予報情報は、比較部３３経由で、送受信部３４に提供される。送受信部３４は、天気予報情報を携帯端末２へ送信する。
【００５０】
ユーザは携帯端末２から、管理サーバ３に対して、携帯端末の登録を行うことができる。登録情報には、気象情報の対象地域及び通知条件が含まれる。
【００５１】
管理サーバ３がユーザから登録情報を受信すると、送受信部３４は、登録情報をユーザ情報データベース５に格納する。
【００５２】
天気予報データベース４には、地域の天気予報情報が格納されており、管理サーバ３は対象地域の天気予報情報を天気予報データベース４から取得することができる。
【００５３】
ユーザ情報データベース５には、ユーザの携帯端末毎に登録情報が格納されている。登録情報には、対象地域、通知条件が含まれる。
【００５４】
図３は、本実施例によるユーザ情報データベース５に格納された情報の一例を示す図である。
【００５５】
図３を参照すると、ユーザＡの場合、対象地域をｐと指定している。
【００５６】
通知条件は、降水確率６０％以上は雨が降ると判定し、降水確率６０％未満は雨が降らないと判定する基準に基づいて、天気予報を判定した雨の予想と、実際の雨の状況とが一致しなかった場合に通知することとなっている。この通知条件では、雨の予想と雨の状況とが一致しなかった場合、ユーザＡには、天気の予想が外れたことが通知される。なお、雨の予想と雨の状況とが一致した場合には、通知はされない。
【００５７】
また、ユーザＢの場合、対象地域をｑと指定している。
【００５８】
通知条件は、風速１０ｍ以上は風が吹くと判定し、風速１０ｍ未満は風が吹かないと判定する条件に基づいて、天気予報を判定した風の予想と実際の風の状況とが一致しなかった場合に通知することとなっている。なお、この場合、通知条件に、天気条件添付と書かれている。このような場合、ユーザＢには、天気の予想が外れたことに加えて気象情報が通知される。
【００５９】
ユーザＣの場合、対象地域をｒと指定している。
【００６０】
通知条件は、最低気温５℃以下で低温であると判定し、最低気温が５℃を越えると低温でないと判定する条件に基づいて、天気予報を判定した気温の予想と、実際の気温が一致しなかった場合に通知することとなっている。この通知条件では、気温の予報と、実際の天気が一致しなかった場合、ユーザＣには、天気の予想が外れたことが通知される。
【００６１】
次に、本実施例による動作について図を用いて詳細に説明する。
【００６２】
最初に、本実施例による動作の概略について、説明する。
【００６３】
図４は、本実施例による天気情報通知システムの概略動作を説明するためのフローチャートである。図の説明では、ユーザからの登録が完了しており、対象地域、天気予報の判定基準、通知条件が管理サーバ３に登録されていることを前提とする。
【００６４】
図４を参照すると、最初に、管理サーバ３は、対象地域の気象情報を取得する（ステップ４０１）。
【００６５】
次に、管理サーバ３は、対象地域の天気予報情報を取得する（ステップ４０２）。
【００６６】
次に、管理サーバ３で、通知条件に基づき、天気予報から判定した天気の予想と気象情報から判定した実際の天気を比較する（ステップ４０３）。
【００６７】
次に、管理サーバ３は、比較結果が通知条件を満たすかどうかを判定する（ステップ４０４）。
【００６８】
比較結果が通知条件を満たす場合には（ステップ４０５）、管理サーバ３から当該ユーザに通知を行い（ステップ４０６）、処理を終了する。
【００６９】
通知条件を満たさない場合には（ステップ４０５）、処理を終了する。
【００７０】
以上に、本実施例による天気情報通知システムの概略動作を説明した。
【００７１】
次に、本実施例による天気情報通知システムの動作を詳細に説明する。
【００７２】
図５は、本実施例による天気情報通知システムの動作例を説明するためのフローチャートである。なお、動作例はユーザＡの場合に対応する。
【００７３】
図５を参照すると、最初に、ユーザは携帯端末２より、登録情報を管理サーバ３へ送信し（ステップ５０１）、管理サーバ３は登録情報をユーザ情報データベース５に格納する（ステップ５０２）。登録情報には、通知対象地域、通知条件が含まれる。
【００７４】
ユーザは対象地域の天気予報情報を、次のようにして取得する。
【００７５】
ユーザが携帯端末２から管理サーバ３にアクセスすると（ステップ５０３）、管理サーバ３は、天気予報データベース４から対象地域の天気予報情報を取得し（ステップ５０４）、携帯端末２へ通知する（ステップ５０５）。
【００７６】
次に、管理サーバ３は対象地域の気象情報を気象観測装置１１に要求する（ステップ５０６）。
【００７７】
気象観測装置１１ａは、観測した、雨の降り始め、雨の降り終わり、降水量等の情報から、気象情報を作成して管理サーバ３に送信する（ステップ５０７）。
【００７８】
次に、管理サーバ３は、対象地域の天気予報情報を、天気予報データベース４から取得する(ステップ５０８)。
【００７９】
次に、管理サーバ３は、ユーザの登録情報をユーザ情報データベース５から取得する(ステップ５０９)。
【００８０】
次に、管理サーバ３は、天気予報情報と気象情報とを比較し、通知条件を満たすかどうかを判定する（ステップ５１０）。
【００８１】
ステップ５１０での判定のステップは複雑であるため、判定の詳細については、図６で説明する。
【００８２】
判定の結果、通知条件を満たす場合には、ユーザの携帯端末２へ、天気の予想が外れたことを通知する（ステップ５１１）。
【００８３】
以上のようにして、天気情報通知システムに登録したユーザに対して、天気予報から判定される天気の予想と実際の天気とを比較して、両者に不一致が生じた場合に通知がなされる。
【００８４】
次に、図５のステップ５１０に示した通知条件を満たすかどうかの判定について説明する。
【００８５】
携帯端末２から管理サーバ３に登録する内容には、通知対象地域、雨と判定する降水確率を含む通知条件が含まれる。
【００８６】
ここで雨と判定する降水確率とは、ユーザが天気予報を判定するための基準であり、地域の天気予報による降水確率が一定値以上の場合、地域の天気予報から雨が降ると予想し、また天気予報による降水確率が当該一定値未満の場合、地域の天気予報から雨が降らないと予想するものである。
【００８７】
図６は、本実施例による通知条件を満たすかどうかを判定する流れの一例を説明するためのフローチャートである。
【００８８】
図６を参照すると、最初に、管理サーバ３は、ユーザが雨と判定する降水確率と対象地域の天気予報の降水確率を比較する（ステップ６０１）。
【００８９】
その結果、天気予報の降水確率がユーザの指定した降水確率を超えるか又は等しい場合（ステップ６０２）、ユーザは雨が降ると予想する（ステップ６０３）。
【００９０】
次に、管理サーバ３は、気象観測装置１１から取得した気象情報を参照し、雨が降ったかどうかを確認する（ステップ６０４）。
【００９１】
確認の結果、雨が降った場合には（ステップ６０５）、天気の予想と実際の天気とが一致しているため、通知はしない（ステップ６０６）。
【００９２】
一方、雨が降らなかった場合には、天気の予想と実際の天気とが一致しないため、通知する（ステップ６０７）。
【００９３】
以上は、天気予報の降水確率が、雨が降ると判定する降水確率を超えるか又は等しい場合である。
【００９４】
次に、天気予報の降水確率が、雨が降ると判定する降水確率に満たない場合（ステップ６０２）、ユーザは天気予報を雨が降らないと予想する（ステップ６０８）。
【００９５】
次に、管理サーバ３は、気象観測装置１１から取得した気象情報を参照し、雨が降らなかったかどうかを確認する（ステップ６０９）。
【００９６】
雨が降らなかった場合には（ステップ６１０）、天気の予想と実際の天気とが一致しているため、通知はしない（ステップ６１１）。
【００９７】
一方、雨が降った場合には、天気の予想と実際の天気とが一致しないため、予想が外れたことを通知する（ステップ６１２）。
【００９８】
以上に、通知条件を満たすかどうかを判定する流れを説明した。
【００９９】
次に、実際の数値例を用いた判定例を説明する。
【０１００】
ユーザが天気予報の降水確率６０％以上は雨が降ると判定し、降水確率６０％未満は雨が降らないと判定する通知条件を登録したとする。この条件を適用すると、天気予報の降水確率が６０％以上の場合、ユーザは天気予報から雨が降ると予想し、天気予報の降水確率が６０％未満の場合、ユーザは天気予報から雨が降らないと予想することになる。
【０１０１】
上記の基準によりユーザが雨と判定する降水確率を６０％に設定すると、天気予報の降水確率が７０％の場合、ユーザは天気予報を雨が降ると判定したことになる。このため、雨が降っても、携帯電話３への通知は行わない。
【０１０２】
しかしながら、天気予報の降水確率が５０％の場合、ユーザは天気予報を雨が降らないと判定したことになる。天気予報の降水確率が５０％で雨が降った場合、管理サーバ３は天気の予想が外れたと判定して携帯電話２への通知を行う。
【０１０３】
また、上記の基準では、天気予報の降水確率が７０％で雨が降らなかった場合も、ユーザは天気予報を雨と判定しているため、天気の予想が外れたと判定して、管理サーバ３は携帯電話２への通知を行う。
【０１０４】
以上述べたように、本発明の方法は、管理サーバ３がネットワーク１００を介して少なくとも１つの基地局１ａから基地局１ａの設置された地域の気象情報を取得し、無線通信を介して携帯端末２へ通知する天気情報通知システムであって、管理サーバ３は、携帯端末２の利用者により指定された対象地域の気象情報を基地局１ａから取得すると共に、携帯端末２へ天気予報情報を提供し、利用者から指定された通知条件を満たす場合に、利用者の携帯端末２に天気に関する情報を通知することを特徴とするものである。
【０１０５】
また、上記の通知条件は、天気に関する情報が雨の場合、天気予報情報の降水確率に基づき判定した雨が降るのか又は雨が降らないのかの予想を、気象情報に基づき雨が降ったのか又は降らなかったのかどうかを確認した結果と比較し、予想と結果とが一致しないことを特徴とする。
【０１０６】
以上説明した実施例によれば、天気予報と現在の天気とが一致しなかった場合に、携帯端末２に天気予報が外れたことを通知することが可能となる。
【０１０７】
その理由は、管理サーバ３で携帯端末２のユーザが登録した天気予報の通知条件に基づき、天気予報情報から判定した天気の予想と実際の天気とを比較し、両者に相違が生じた場合、管理サーバ３から携帯端末２へ予想が外れたことを通知するためである。
【０１０８】
また、携帯端末２のユーザは通信費の負担を軽減することができる。
【０１０９】
その理由は、天気予報情報から判定した天気の予想と実際の天気とが一致しなかった場合には携帯端末２へ通知を受けるが、天気の予想と実際の天気とが一致した場合には通知がなく通信費を要しないためである。
【０１１０】
さらに、天気に対する認識の異なるユーザに対しても、また同じユーザであっても、そのときどきの状況に合わせて、通知条件を登録することにより、天気予報の判定を自由に設定することができる。
【０１１１】
その理由は、ユーザは天気予報を判定するための通知条件を管理サーバ３に登録し、管理サーバ３ではその情報に基づいて、天気予報情報を判定するためである。
【０１１２】
以上述べた実施例は、気象情報が雨の場合の一例であるが、気象情報が風又は気温であっても全く同様に、ユーザの携帯端末２からそれぞれ風速又は温度を登録することにより、管理サーバ３により判定を行うことができる。
【０１１３】
また、携帯端末２は複数であることを前提としている。特に、携帯端末２の数が多い場合には、すべての携帯端末に対して通知の判定をすることは、時間を要する。このような場合には、天気予報と実際の天気に相違がある地域を通知の対象地域とした携帯端末のみを対象に、通知の判定をすることにより、管理サーバ３の負荷を低減することができる。
【０１１４】
また、実施例は、携帯端末のユーザが現在いる地域から、移動予定地域に移動する場合に、移動予定地域の天気に関する情報の通知を受けるというものであるが、特にこれにとらわれることなく、ユーザが現在いる地域の天気に関する情報の通知を受けるものであっても良い。特に、天候の影響を受けやすい農業、漁業、建築関係などのユーザにとっては、有効な情報となる。
【０１１５】
本発明の管理サーバ３は、その動作をハードウェア的に実現することは勿論として、上記した各手段を実行する天気情報通知プログラム（アプリケーション）２００をコンピュータ処理装置である管理サーバ３で実行することにより、ソフトウェア的に実現することができる。この天気情報通知プログラム２００は、磁気ディスク、半導体メモリその他の記録媒体に格納され、その記録媒体から管理サーバ３にロードされ、その動作を制御することにより、上述した各機能を実現する。
【０１１６】
以上好ましい実施例をあげて本発明を説明したが、本発明は必ずしも、上記実施例に限定されるものでなく、その技術的思想の範囲内において様々に変形して実施することができる。
【図面の簡単な説明】
【０１１７】
【図１】本発明の実施例による天気情報通知システムの構成を示すブロック図である。
【図２】本発明の実施例による天気情報通知システムの構成を詳細に示すブロック図である。
【図３】本発明の実施例によるユーザ情報データベースに格納された情報の一例を示す図である。
【図４】本発明の実施例による天気情報通知システムの概略動作を説明するためのフローチャートである。
【図５】本発明の実施例による天気情報通知システムの動作例を説明するためのフローチャートである。
【図６】本発明の実施例による通知条件を満たすかどうかを判定する流れの一例を説明するためのフローチャートである。
【符号の説明】
【０１１８】
１ａ、１ｂ：基地局
２：管理サーバ
３：携帯端末
４：天気予報データベース
５：ユーザ情報データベース
１１ａ、１１ｂ：気象観測装置
３１：気象情報取得部
３２：天気予報情報取得部
３３：比較部
３４：送受信部
１００：ネットワーク
２００：天気情報通知プログラム
【図１】
2006108871.tif 000003
【図２】
2006108871.tif 000004
【図３】
2006108871.tif 000005
【図４】
2006108871.tif 000006
【図５】
2006108871.tif 000007
【図６】
2006108871.tif 000008